(57)【要約】      （修正有）【課題】使用寿命を延長できる改良式回転伸縮モップを提供する。【解決手段】改良式回転伸縮モップは第一柄体１０、第二柄体２０およびモップヘッドを有する。第一柄体１０の一端には第一軸孔１１１を形成し、第一軸孔１１１壁面には少なくとも１個の第一螺旋レール１１２を設置する。第二柄体２０の一端と第一柄体１０とは相互に嵌めて接続され、相対して直線状の伸縮移動を行う。第二柄体２０は第一連接台２１、第二連接台２２、嵌合部材２４、ワッシャー２５、バネ２６および連柄２３を有する。第一連接台２１と第二連接台２２とは相互に嵌めて接続され、これにより第一連接台２１の第一単一方向回転軸連接部材２１２と第二連接台２２の第二単一方向回転軸連接部材２２１とは相互に接続され、しかも第一連接台２１には第一螺旋レール１１２相互に対応する第一嵌着部２１１を設置し、これにより第一嵌着部２１１は第一螺旋レール１１２中で移動できる。連柄２３の一端には第二連接台２２を連接する。【選択図】図３
0003203407.tif 000002
【実用新案登録請求の範囲】
【請求項１】
改良式回転伸縮モップであって、第一柄体、第二柄体、モップヘッドを有し、
前記第一柄体の一端には、第一軸孔を形成し、前記第一軸孔壁面には、少なくとも１個の第一螺旋レールを設置し、
前記第二柄体の一端と前記第一柄体とは、相互に嵌めて接続され相対して直線状の伸縮移動を行い、
前記第二柄体は、第一連接台、第二連接台、嵌合部材、ワッシャー、バネおよび連柄を有し、前記第一連接台と前記第二連接台とは、相互に嵌めて接続され、これにより前記第一連接台の一第一単一方向回転軸連接部材と前記第二連接台の第二単一方向回転軸連接部材とは、相互に接続し、しかも前記第一連接台には、前記第一螺旋レールと相互に対応する一第一嵌着部を設置し、
これにより、前記第一嵌着部は前記第一螺旋レール中で移動でき、前記連柄の一端は、前記第二連接台に連接し、前記嵌合部材、前記ワッシャーと前記バネ前記第二連接台に相対し、近いほうから遠いほうへと順番に前記連柄に通って嵌められ、しかも前記嵌合部材は、前記第一連接台の一嵌合孔に嵌合され、
前記モップヘッドの一端は、前記第二柄体の反対端に連接され、前記モップヘッドの反対端には、複数のモップパイルを設置することを特徴とする改良式回転伸縮モップ。
【請求項２】
前記連柄は、多辺形柱体で、その二端は、前記第二連接台と前記結合台をそれぞれ挿入して接続する接続孔であることを特徴とする請求項１に記載の改良式回転伸縮モップ。
【請求項３】
前記バネは、複数の弾性セクションを有し、
前記各弾性セクションのコイル間隔距離或いは線径は異なり、こうして前記各弾性セクションの弾力係数は相互に異なることを特徴とする請求項１に記載の改良式回転伸縮モップ。
【請求項４】
前記連柄の前記各弾性セクションの間の相対応位置には、緩衝凸粒を設置し、これにより前記バネの複数の弾性セクションは、上から下へとセクションに分かれた圧縮を行うことを特徴とする請求項３に記載の改良式回転伸縮モップ。
【考案の詳細な説明】
【技術分野】
【０００１】
本考案は改良式回転伸縮モップに関し、特に柄体は固定性に優れ、しかも異なる弾性係数セクションのバネを増設し、セクションに分かれた弾性圧縮を行い、使用寿命を延長できる改良式回転伸縮モップに関する。
【背景技術】
【０００２】
従来の湿式モップにはおよそ二種のタイプがある。
モップヘッドで分類すれば、スポンジモップヘッドおよびブラシモップヘッドに分けられる。
スポンジモップヘッド上には、スポンジを挟んで絞る除水装置があり、脱水に便利である。
しかし、スポンジの拡張範囲には限界があるため、地板を拭く時には死角が生じ易い。
一方、ブラシモップヘッドは、布紐、コットン紐或いは吸水可能な任意の柔軟で長い材質をブラシとするもので、ブラシが変形拡張するため、吹き易く、死角が生じにくいという長所があるが、ブラシモップヘッドは除水が面倒である。
【０００３】
従来のブラシモップヘッドは、人の手によりブラシ上の水分を絞らなければ、床をきれいに拭くことはできず、これにより床付記は重労働となっていた。
上記に鑑み、モップの脱水装置が開発された。
それは、ペダルによりギアを連動し、スクイーズバスケットに急速回転を生じさせ、スクイーズバスケット内のモップの水を飛ばすものである。
上記した装置により、手でモップを絞る面倒から逃れることはできるが、この種の絞り方式は効果が十分でなく、絞った後のブラシにはなお大量の水分が残っているばかりか、操作時には、使用者は片足で常にペダルを踏みながら、片足でバランスを保たなければならないため、操作が面倒で、不安定になった使用者が倒れることもあり、理想的でない。
さらには、踏んだ時の力が不均一或いは力の過大により、バスケットを倒してしまうこともしばしば起きており、実用的とはとてもいい難い。
【０００４】
現在市場には手で押すタイプの回転モップ構造があり、上述の装置による問題を改善している。
その回転モップは、回転脱水装置といっしょに使用する。
モップを回転脱水装置中に入れ、使用者は手動でモップを圧迫すると、モップの一部のパーツと回転脱水装置とが、同時に回転しモップの毛のが絞られるものである。
しかし、この種の手動圧迫式の回転モップ構造は、ある程度の時間使用すると、回転方式で脱水することで柄体中のパーツが緩み、加速によりバネが弾性疲労して損壊するという問題があり、これがモップの使用寿命を低下させている。
【考案の概要】
【考案が解決しようとする課題】
【０００５】
前記先行技術は、手動圧迫式の回転を行うため、ある程度の時間使用すると、柄体中のパーツが緩み、加速によりバネが弾性疲労して損壊するという問題があり、これがモップの使用寿命を低下させている欠点がある。
【課題を解決するための手段】
【０００６】
本考案は柄体は固定性に優れ、しかも異なる弾性係数セクションのバネを増設し、セクションに分かれた弾性圧縮を行い、使用寿命を延長できる改良式回転伸縮モップに関する。
【０００７】
本考案による改良式回転伸縮モップは、第一柄体、第二柄体、モップヘッドを有する。
該第一柄体一端には、第一軸孔を形成し、該第一軸孔壁面には、少なくとも１個の第一螺旋レールを設置する。
該第二柄体一端と該第一柄体とは、相互に嵌めて接続され、相対して直線状の伸縮移動を行う。
【０００８】
該第二柄体は、第一連接台、第二連接台、嵌合部材、ワッシャー、バネおよび連柄を有し、該第一連接台と該第二連接台とは、相互に嵌めて接続され、これにより該第一連接台の第一単一方向回転軸連接部材と該第二連接台の第二単一方向回転軸連接部材とは相互に接続し、しかも該第一連接台には、該第一螺旋レールと相互に対応する第一嵌着部を設置する。
これにより、該第一嵌着部は、該第一螺旋レール中で移動できる。
該連柄の一端には、第二連接台を連接する。
該嵌合部材、該ワッシャーと該バネとは、該第二連接台に相対して近いほうから遠いほうへと順番に該連柄を貫通して嵌められ、しかも該嵌合部材は、該第一連接台の一嵌合孔に嵌合される。
該モップヘッドの一端は、該第二柄体の反対端に連接され、該モップヘッドの反対端には、複数のモップパイルを設置する。
【０００９】
本考案の改良式回転伸縮モップは、以下の長所を備える。
1.    改良式回転伸縮モップには、嵌合部材を設置し、第一連接台の嵌合孔と連接し、第一、第二連接台の連接の固定性を強化できる。
2.    改良式回転伸縮モップの第二連接台にはさらに嵌着部を設置し、第一連接台に増設する螺旋レールと対応して接続され、第一連接台と第二連接台との間の連接と回転を安定させることができる。
3.    改良式回転伸縮モップの連柄は、多辺形に設計し、第二連接台と結合台の円形接続孔とは異なり、これにより連柄と第二連接台および結合台との結合の緩む確率を低下させることができる。
4.    改良式回転伸縮モップは、異なる弾性係数セクションを備えるバネを連柄上に嵌めることで、使用寿命を延長させられる他、使用者の使用時に漸進的な使用感を提供することができる。
5.    改良式回転伸縮モップの連柄は、バネの各弾性セクションの間の相対位置に、緩衝凸粒を設置し、緩衝凸粒により、バネの複数の弾性セクションは、上から下へとセクションに分かれた圧縮を行うことができ、セクション式減力の作用を達成し、モップの使用寿命を延長することができる。
【図面の簡単な説明】
【００１０】
【図１】本考案の改良式回転伸縮モップの第一実施形態の第一模式図である。
【図２】本考案の改良式回転伸縮モップの第一実施形態の第二模式図である。
【図３】本考案の改良式回転伸縮モップの第一実施形態の第三模式図である。
【図４】本考案の改良式回転伸縮モップの第一実施形態の第四模式図である。
【図５】本考案の改良式回転伸縮モップの第一実施形態の第五模式図である。
【図６】本考案の改良式回転伸縮モップの第一実施形態の第六模式図である。
【図７】本考案の改良式回転伸縮モップのバネの一つの形態の模式図である。
【図８】本考案の改良式回転伸縮モップのバネのもう一つの形態の模式図である。
【図９】本考案の改良式回転伸縮モップの第二実施形態の模式図である。
【考案を実施するための形態】
【００１１】
（一実施形態）
図１および図２は、本考案の改良式回転伸縮モップの第一実施形態の第一模式図および第二模式図である。
【００１２】
改良式回転伸縮モップ１００は、第一柄体１０、第二柄体２０およびモップヘッド３０を有する。
第二柄体２０の二端には、第一柄体１０およびモップヘッド３０をそれぞれ連接し、モップヘッド３０の第二柄体２０に連接する端の反対側には、複数のモップパイル３１を設置する。
【００１３】
改良式回転伸縮モップ１００には、モップ洗浄器２００を合わせて使用することができる。
モップ洗浄器２００には、浸水バケツ４０を設置し、浸水バケツ４０内部には、脱水槽４１を設置する。
浸水バケツ４０には、モップヘッド３０モップパイル３１を洗浄するための洗浄液（真水或いは洗剤を加えた洗浄液）を入れることができる。
【００１４】
好ましくは、改良式回転伸縮モップ１００は手動で下方へと圧迫し、モップヘッド３０を脱水槽４１に入れた後、使用者は手で第一柄体１０を持ち、下方へと圧迫する動作を行う。
これにより、モップパイル３１は脱水槽４１と同時に回転し、遠心力の作用により、モップ脱水の目的を達成することができる。
【００１５】
図３〜図６は、本考案の改良式回転伸縮モップの第一実施形態の第三模式図、第四模式図、第五模式図および第六模式図である。
これら模式図は、改良式回転伸縮モップ１００の構成部材の細部構造について説明する。
【００１６】
第一柄体１０の一端内部には、固定台１１を係圧合固定する。
固定台１１には、第一軸孔１１１を形成し、第一軸孔１１１壁面には、少なくとも１個の第一螺旋レール１１２を設置する。
第一実施形態では、第一螺旋レール１１２は、第一軸孔１１１の壁面に相対して陥入されるが、これに限定されない。
【００１７】
第二柄体２０の一端は、第一柄体１０と相互に嵌めて接続され、相対して直線状の伸縮移動を行う。
第二柄体２０は、相互に嵌めて接続される第一連接台２１と第二連接台２２を有する。
第一、第二連接台２１、２２間には、第一単一方向回転軸連接部材２１２と第二単一方向回転軸連接部材２２１とをそれぞれ設置する。
【００１８】
第一、第二単一方向回転軸連接部材２１２、２２１には、複数の相互に対応して合わさるラチェット２１２１、２２１１を設置する。
第一実施形態中では、第一連接台２１には、第一螺旋レール１１２と相互に対応する４個の第一嵌着部２１１を設置する。
各第一嵌着部２１１は、ブロック状構造体を形成し、しかも第一連接台２１に相対して突出し、これにより第一嵌着部２１１は、第一螺旋レール１１２中で移動できる。
【００１９】
全体の使用時には、第一嵌着部２１１は、第一螺旋レール１１２中で移動し、第一螺旋レール１１２は螺旋状を形成する。
これにより、第一、第二連接台２１、２２は回転を形成し、第一、第二単一方向回転軸連接部材２１２、２２１の作用により、第二柄体２０が第一柄体１０へと接近する時、回転を形成する（図５参照）。
第二柄体２０が第一柄体１０から離れる時には回転しない。
さらに、第二柄体２０は、連柄２３、嵌合部材２４、ワッシャー２５、バネ２６および結合台２７を有する。
【００２０】
連柄２３の一端には、第二連接台２２を連接する。
連柄２３の反対端には、結合台２７を連接する。
連柄２３は、多辺形柱体で、その二端には、第二連接台２２と結合台２７の円形或いは多辺形接続孔２７１をそれぞれ挿入して接続する。
連柄２３と接続孔２７１の相互に異なる構造或いは対角対応接続により、連柄２３と第二連接台２２および結合台２７結合の緩む確率を低下させることができる。
嵌合部材２４、ワッシャー２５とバネ２６は、第二連接台２２に相対し、近いほうから遠いほうへと順番に連柄２３を貫通して嵌められる。
すなわち、嵌合部材２４は、第二連接台２２に最も近く、バネ２６は比較的離れており、ワッシャー２５は、嵌合部材２４とバネ２６との間に位置する。
【００２１】
組み立て後、嵌合部材２４は、第一連接台２１の嵌合孔２１３に嵌合される。
嵌合部材２４と嵌合孔２１３との嵌合固定を通して、第一連接台２１と第二連接台２２連接の固定性を強化することができる。
結合台２７の連柄２３に連接する反対端には、モップヘッド３０を結合する。
【００２２】
本考案に用いるバネ２６は、複数の弾性セクションを備えるよう設計されている。
第一実施形態中では、弾性セクションＡおよび弾性セクションＢを有する。
連柄２３は、弾性セクションＡとＢとの間の相対応位置に、内径が１個或いは多数のバネ２６のコイルより大きい１個或いは多数の緩衝凸粒２３１を設置する。
これにより、バネ２６の弾性セクションＡ、Ｂは、上から下へとセクションに分かれた圧縮を行うことができる（図６参照）。
【００２３】
たとえば、使用者が力を入れてモップを下方へと圧迫すると、バネ２６は圧縮を開始する。
この時、バネ２６の弾性セクションＡは、緩衝凸粒２３１により区画され先ず完全に圧縮される。
使用者がさらにより大きな力でモップを下方へと圧迫すると、弾性セクションＢは圧縮を開始する。
こうすることで、セクション式減力の作用を達成し、升モップの使用寿命を延長することができる。
【００２４】
バネ２６の各弾性セクションＡ、Ｂは、相互に異なる弾性係数に設計することができる。
例えば、バネ２６弾性セクションＡのコイル間隔距離を５ｍｍとし、弾性セクションＢのコイル間隔距離を３ｍｍとし、弾性セクションＡ、Ｂのコイル間隔距離を異なるようにし、相互に異なる弾性係数の多数の弾性セクションとする（図７参照）。
或いは、バネ２６の弾性セクションＡと弾性セクションＢの線径を違え、こうして２個の異なる弾性係数の弾性セクションＡとＢを形成することもできる（図８参照）。
バネを異なる弾性係数セクションに設計することで、使用寿命を延長できる他、使用者の使用時に漸進的な使用感を提供する。
【００２５】
図９は、本考案の改良式回転伸縮モップの第二実施形態の模式図である。
第二実施形態の改良式回転伸縮モップにおいて、第一連接台２１に設置する第一嵌着部２１１は、第一螺旋レール１１２と対応するように設計され、しかも第一連接台２１の螺旋状構造体に相対して突出する。
さらに、第一連接台２１には、第二軸孔２１４を設置し、第二軸孔２１４壁面には、少なくとも１個の第二螺旋レール２１５を設置する。
第二連接台２２には、第二螺旋レール２１５と相互に対応する第二嵌着部２２２を設置し、これにより第二嵌着部２２２は、第二螺旋レール２１５中で移動することができる。
【００２６】
第二実施形態中では、第二螺旋レール２１５は、第二軸孔２１４の壁面に相対して陥入する。
第二嵌着部２２２は、第二連接台２２の螺旋状構造体に相対して突出する。
第二螺旋レール２１５と第二嵌着部２２２の設置を通して、第一連接台２１と第二連接台２２間の連接と回転を堅固にすることができる。
【００２７】
上記を総合すると、本考案の改良式回転伸縮モップは従来の技術を超えることで、目的の機能を確実に達成し、しかも当該技術者が容易に想到できるものではなく、さらに本考案申請前には未公開であり、しかも進歩性、実用性を備えている。
【００２８】
前述した本考案の実施形態は本考案を限定するものではなく、よって、本考案により保護される範囲は後述される実用新案登録請求の範囲を基準とする。
【符号の説明】
【００２９】
１００  改良式回転伸縮モップ
１０    第一柄体
１１    固定台
１１１  第一軸孔
１１２  第一螺旋レール
２０    第二柄体
２１    第一連接台
２１１  第一嵌着部
２１２  第一単一方向回転軸連接部材
２１２１、２２１１  ラチェット
２１３  嵌合孔
２１４  第二軸孔
２１５  第二螺旋レール
２２    第二連接台
２２１  第二単一方向回転軸連接部材
２２２  第二嵌着部
２３    連柄
２３１  緩衝凸粒
２４    嵌合部材
２５    ワッシャー
２６    バネ
２７    結合台
３０    モップヘッド
３１    モップパイル
２００  モップ洗浄器
４０    浸水バケツ
４１    脱水槽
Ａ、Ｂ  弾性セクション
【図１】
0003203407.tif 000003
【図２】
0003203407.tif 000004
【図３】
0003203407.tif 000005
【図４】
0003203407.tif 000006
【図５】
0003203407.tif 000007
【図６】
0003203407.tif 000008
【図７】
0003203407.tif 000009
【図８】
0003203407.tif 000010
【図９】
0003203407.tif 000011
【手続補正書】
【提出日】平成28年1月27日(2016.1.27)
【手続補正１】
【補正対象書類名】実用新案登録請求の範囲
【補正対象項目名】請求項１
【補正方法】変更
【補正の内容】
【請求項１】
改良式回転伸縮モップであって、第一柄体、第二柄体、モップヘッドを有し、
前記第一柄体の一端には、第一軸孔を形成し、前記第一軸孔壁面には、少なくとも１個の第一螺旋レールを設置し、
前記第二柄体の一端と前記第一柄体とは、相互に嵌めて接続され相対して直線状の伸縮移動を行い、
前記第二柄体は、第一連接台、第二連接台、嵌合部材、ワッシャー、バネおよび連柄を有し、前記第一連接台と前記第二連接台とは、相互に嵌めて接続され、これにより前記第一連接台の第一単一方向回転軸連接部材と前記第二連接台の第二単一方向回転軸連接部材とは、相互に接続し、しかも前記第一連接台には、前記第一螺旋レールと相互に対応する第一嵌着部を設置し、
これにより、前記第一嵌着部は前記第一螺旋レール中で移動でき、前記連柄の一端は、前記第二連接台に連接し、前記嵌合部材、前記ワッシャーと前記バネは、前記第二連接台に相対し、近いほうから遠いほうへと順番に前記連柄に通って嵌められ、しかも前記嵌合部材は、前記第一連接台の嵌合孔に嵌合され、
前記モップヘッドの一端は、前記第二柄体の反対端に連接され、前記モップヘッドの反対端には、複数のモップパイルを設置することを特徴とする改良式回転伸縮モップ。
【手続補正２】
【補正対象書類名】実用新案登録請求の範囲
【補正対象項目名】請求項２
【補正方法】変更
【補正の内容】
【請求項２】
前記連柄は、多辺形柱体で、その二端は、前記第二連接台と結合台にそれぞれ挿入して接続する接続孔であることを特徴とする請求項１に記載の改良式回転伸縮モップ。